(57)【特許請求の範囲】
【請求項１】
１組がＡ側とＢ側の端子間に固定接点と可動接点で対を成す接点装置と貫通導体を配した２組の主回路導電部と，該接点装置に作用して接点を開閉する機構部と，主回路導電部の零相電流を検出する変流器と，該変流器に接続されて変流器の出力信号の大きさによって前記機構部に作用し前記接点装置を開極させる手段と，それらを内装するケースによって構成される回路遮断器において，Ｂ側の二つの端子から個別に貫通導体が延出して変流器を貫通し，片極の貫通導体は固定接点に接続されて，該固定接点と対となる可動接点を通じてＡ側の端子に電気的に接続され，他極の貫通導体は他極側の可動接点に接続され，対となる他極側の固定接点を通じてＡ側の端子に電気的に接続されて成ることを特徴とする変流器を含む回路遮断器の構造。
【請求項２】
分割されたケースと，該ケースに内装される，固定接点と可動接点で対を成す接点装置と，変流器と，変流器を貫通する貫通導体と，貫通導体に連なる導電部材を含む回路遮断器において，変流器を貫通した貫通導体の一端が固定接点に接続され，且つ固定接点は変流器に装着されて，変流器はケース内に位置決め固定されることを特徴とする変流器を含む回路遮断器の構造。
【請求項３】
１組がＡ側とＢ側の端子間に固定接点と可動接点で対を成す接点装置と貫通導体を含む２組の主回路導電部と，該接点装置に作用して接点を開閉する機構部と，主回路導電部の零相電流を検出する変流器と，該変流器の出力信号の大きさによって前記機構部に作用し前記接点装置を開極させる手段と，それらを内装するケースによって構成される回路遮断器において，Ｂ側の二つの端子側から個別に貫通導体が延出して変流器を貫通し，片極の貫通導体は変流器に位置決め固定された固定接点に接続されて，該固定接点と対となる可動接点を通じてＡ側の端子に電気的に接続され，他極の貫通導体は他極側の可動接点に接続され，対となる他極側の固定接点を通じてＡ側の端子に電気的に接続されて成るもので，二つの可動接点は，可動接点保持部材に保持されて該可動接点保持部材の回動中心から互い違いに放射状に延出し，可動接点保持部材の回動により可動接点が固定接点に接離するとともに，前記変流器はケースに位置決め固定されて成ることを特徴とする変流器を含む回路遮断器の構造。
【発明の詳細な説明】
【０００１】
【発明の属する技術分野】
本件の発明は漏電遮断器などの変流器を含む回路遮断器に係り、特に電源側端子と負荷側端子を結ぶ方向に対し直交する方向の幅を，従来の２分の１に薄型化した（以下，１／２幅サイズと称する）２極漏電遮断器に関する。
【０００２】
【従来の技術】
従来の変流器を含む回路遮断器は，例えば電源側と負荷側の端子間に接点装置と貫通導体からなる主回路導体と，接点装置を開閉する機構部と，貫通導体が貫通する零相変流器と，零相変流器の出力信号の大きさにより，前記開閉機構部に作用して接点装置を開極する手段をケースに内装して構成され，且つ，電源側端子から負荷側端子に至る主回路導体の構成配列は夫々の極によって同じであった。すなわち，第1の例では電源側端子側に固定接点が電気的に接続され，対となる可動接点に貫通導体が電気的に接続され，貫通導体に負荷側端子が電気的に接続され，貫通導体が零相変流器を貫通しているという具合である。
また，第２の構造例としては，電源側端子側に可動接点が電気的に接続され，対となる固定接点に貫通導体が電気的に接続され，貫通導体に負荷端子が電気的に接続され，貫通導体が零相変流器を貫通しているという具合である。
【０００３】
【発明が解決しようとする課題】
しかしながら，従来の変流器を含む回路遮断器の構成では，前述の１／２幅サイズの特に２極漏電遮断器を構成することが，極めて困難であった。なぜなら，端子間の主回路導体の構成配列が同じであるため，幅方向に２組の同一の部材を並列的に配置する必要があり，特に，接点装置を幅方向で並列的に配置することが漏電遮断器の薄型化を妨げていた。
また，前述の第２の構造例では，固定接点は通常ケースに固定されるが，特に最近の傾向である小型化が図られた回路遮断器では，ケース内部に余裕の空間が取りにくくなってきており，前述の貫通導体も構成しうる限りの最短化が必要になってきている。その場合，貫通導体の長さが短いと，変流器と固定接点を別々にケースに取付けるための電線のたくり余裕がとれないということになり，組み立てが非常にしにくいという問題があった。
そこで，本件の発明の目的は，薄型化や小型化が可能で，組立も容易な変流器周辺の構造を有するような変流器を含む回路遮断器を提供しようとするものである。
【０００４】
【課題を解決するための手段】
上述の目的を達成するため、請求項１では，１組がＡ側とＢ側の端子間に固定接点と可動接点で対を成す接点装置と貫通導体を配した２組の主回路導電部と，該接点装置に作用して接点を開閉する機構部と，主回路導電部の零相電流を検出する変流器と，該変流器に接続されて変流器の出力信号の大きさによって前記機構部に作用し前記接点装置を開極させる手段と，それらを内装するケースによって構成される回路遮断器において，Ｂ側の二つの端子側から個別に貫通導体が延出して変流器を貫通し，片極の貫通導体は固定接点に接続されて，該固定接点と対となる可動接点を通じてＡ側の端子に電気的に接続され，他極の貫通導体は他極側の可動接点に接続され，対となる他極側の固定接点を通じてＡ側の端子に電気的に接続されて成ることを特徴とする変流器を含む回路遮断器を構成したものである。
【０００５】
また請求項２においては，分割されたケースと，該ケースに内装される，固定接点と可動接点で対を成す接点装置と，変流器と，変流器を貫通する貫通導体と，貫通導体に連なる導電部材を含む回路遮断器において，変流器を貫通した貫通導体の一端が固定接点に接続され，且つ固定接点は変流器に装着されて，変流器はケース内に位置決め固定されることを特徴とする変流器を含む回路遮断器を構成したものである。
【０００６】
また請求項３においては，１組がＡ側とＢ側の端子間に固定接点と可動接点で対を成す接点装置と貫通導体を含む２組の主回路導電部と，該接点装置に作用して接点を開閉する機構部と，主回路導電部の零相電流を検出する変流器と，該変流器の出力信号の大きさによって前記機構部に作用し前記接点装置を開極させる手段と，それらを内装するケースによって構成される回路遮断器において，Ｂ側の二つの端子側から個別に貫通導体が延出して変流器を貫通し，片極の貫通導体は変流器に位置決め固定された固定接点に接続されて，該固定接点と対となる可動接点を通じてＡ側の端子に電気的に接続され，他極の貫通導体は他極側の可動接点に接続され，対となる他極側の固定接点を通じてＡ側の端子に電気的に接続されて成るもので，二つの可動接点は，可動接点保持部材に保持されて該可動接点保持部材の回動中心から互い違いに放射状に延出し，可動接点保持部材の回動により可動接点が固定接点に接離するとともに，前記変流器はケースに位置決め固定されて成ることを特徴とする変流器を含む回路遮断器を構成したものである。
【０００７】
【発明の実施の形態】
以下，本発明の実施の形態について，図面を用いて詳細に説明する。
【０００８】
図１は本件発明の実施例における２極漏電遮断器の内部構造を示し、図２は該内部構造の詳細図を示している。図３は零相変流器枠部の組み付け状態を示している。図４は零相変流器枠を示している。
【０００９】
図１，図２には遮断器の構成図を示した。図３には零相変流器枠部の組み付け部を示した。図４には零相変流器枠部の拡大図を示した。遮断器の外部はケース１ａとケース１ｂ及び、絶縁壁３から構成されている。回路遮断器を構成する各部品はこれらの分割されたケース１ａ，１ｂに内装される。２は操作ハンドル，５は可動接点保持部材，６，７は可動接点板，８は開閉機構部，９，１０は固定接点板，１２，１３は可動接点，１４，１５は固定接点，２３ａ，２３ｂは過電流引き外し装置，２４ａ，２４ｂは負荷側端子ａ，負荷側端子ｂ，２５ａ，２５ｂは電源側端子ａ，電源側端子ｂを示している。またＡ側を電源側，Ｂ側を負荷側として説明を行う。
【００１０】
可動接点保持部材５にはそれぞれ可動接点板６，７が装着保持されて，各々の端部には可動接点１２，１３が構成されている。
【００１１】
ケース１ａには固定接点板９が配設されており，端部には固定接点１４が配設されている。
【００１２】
３００は主回路導電部，３０１ａ，３０１ｂは貫通導体，を示している。
主回路導電部３００は接点装置１００，１０１と貫通導体３０１ａ，３０１ｂから構成されている。
【００１３】
３１は引き外しコイル（以後トリップコイルという），３２は零相変流器（以後ＺＣＴという），３３は漏電検知回路，３４は零相変流器枠（以後ＺＣＴ枠という），を示している。
【００１４】
ＺＣＴ枠３４には固定接点板１０を装着保持するための固定接点板装着保持部３４０を有している。
【００１５】
可動接点１２と固定接点１４，および可動接点１３と固定接点１５がそれぞれ対をなし，可動接点板６，７および固定接点板９，１０とともに接点装置１００，１０１を構成している。
負荷側端子板２４ａおよび負荷側端子板２４ｂには貫通導体３０１ａおよび貫通導体３０１ｂが接続されており，それぞれＺＣＴを貫通するように配設されている。
【００１６】
負荷側端子板２４ａに接続される貫通導体３０１ａは固定接点板１０に接続され，固定接点１５と可動接点１３からなる接点装置１０１を通じて導通部材３０２ａ（図示しない）により過電流引き外し装置２３ａに接続され，さらに過電流引き外し装置２３ａから導通部材３０２０ａを通じて電源側端子２５ａに接続されている。
【００１７】
負荷側端子板２４ｂに接続される貫通導体３０１ｂは可動接点板６に接続され，可動接点１２と固定接点１４を含む接点装置１００を通じて過電流引き外し装置２３ｂに接続され，さらに過電流引き外し装置２３ｂから導通部材３０２０ｂ（図示しない）を通じて電源側端子２５ｂに接続されている。
【００１８】
ＺＣＴ３２はＺＣＴ枠３４に嵌め込み形成されており，該ＺＣＴ枠３４は分割されたケース１ａ，１ｂによって位置決め固定されるようになっている。また，固定接点１５を配設された固定接点板７はこのＺＣＴ枠３４の固定接点板装着保持部３４０に装着されて位置決め固定されるようになっている。
【００１９】
本実施例で示す回路遮断器は２つの可動接点１２と１３を有しているが，これら２つの可動接点は可動接点板６と７に固着され，可動接点板は可動接点保持部材５によって保持されている。可動接点保持部材５は，ケース１ａ，１ｂによって支持された可動接点保持部材５の略中心軸部分を中心に回動動作するものである。可動接点１２と１３は該可動接点保持部材５の回動中心から互い違いに放射状に延出している。
【００２０】
開閉機構部８はリンク２６を介して操作ハンドル２および可動接点保持部材５が接続されており，操作ハンドル２の操作によりリンク２６を介して，可動接点保持部材５が回動し，前記可動接点１２，１３が固定接点１４，１５に対し開閉するよう作用する。
【００２１】
本実施例では２つの過電流引き外し装置を回路遮断器内に設けてある。過電流引き外し装置２３ａは導電部材３０２ａにより一端が可動接点板７と接続され，電路の一部を形成している。引き外し装置２３ａは引き外し素子であるバイメタルや電磁素子で構成されている。過電流が発生した場合には開閉機構部８に作用して前記可動接点１２，１３を固定接点１４，１５から開極させるように働く。過電流引き外し装置２３ｂは一端が固定接点板９と接続され，電路の一部を形成している。引き外し装置２３ｂも引き外し素子であるバイメタルや電磁素子で構成されている。
【００２２】
本体部は，これら操作ハンドル２と，開閉機構部８と，接点装置１００，１０１と，一方の引き外し装置２３ａとで構成されている。
【００２３】
電源側端子２５ａ，２５ｂは母線（図示しない）と接続されるものであり，プラグイン端子が用いられている。電源側端子部には，これら電源側端子２５ａ，２５ｂと過電流引き外し装置２３ｂが配設されている。引き外し装置２３ｂは，先の引き外し装置２３ａと同様に，異常電流が発生した場合には開閉機構部８に作用して前記可動接点１２，１３を固定接点１４，１５から開極させるように働く。
【００２４】
２４ａ，２４ｂで示した負荷側端子板は負荷側の電線を接続する端子であり，速結端子を用いて構成されている。
【００２５】
ＺＣＴ３２には負荷側端子板２４ａと固定接点板１０，および負荷側端子板２４ｂと可動接点板６とを接続する接続導体３０１ａ，３０１ｂを貫通させる貫通穴が設けられ，導体を流れる電流量に応じて電圧を出力する。
【００２６】
漏電検知回路３３は該ＣＴ３２からの出力を増幅する増幅部を有しており，所定の条件で増幅部の出力により，引き外しコイルに信号を出力する。
【００２７】
トリップコイル３１は，接点装置を開極するための引き外し手段であり，前記漏電検知回路３３からの出力を受け開閉機構部８に作用するものである。
【００２８】
ケース１ａ，１ｂにはＺＣＴ枠３４を装着保持するためのリブ１００１，１００２が設けられている。ＺＣＴ枠３４をケースに装着する場合はこのリブに沿って挿入嵌め込みし，位置が固定される。
【００２９】
図３にはＺＣＴ枠のケース１ａへの組み付け図を示している。ＺＣＴ枠部分を拡大したのが図４である。ＺＣＴ枠３４は，ＺＣＴ３２を内装するとともに，固定接点板１０を嵌め込み装着するための固定接点板装着保持部３４０を有している。固定接点板が装着される部分は図４に示すように固定接点１５を避けるように２又に分かれて構成されており，固定接点板装着保持部３４０の略中央部には略くさび形状の凸部３５０を設けてある。これにより固定接点板１０を装着する場合に，嵌め合わせの節度を保つことができ，緩み，がたが生じない。
【００３０】
また，固定接点板装着保持部の端部には固定接点板１０の抜け止め部が形成されている。この抜け止め部により，一旦嵌め込まれた固定接点板１０は外れることがない。
【００３１】
固定接点板１０には図４に示すように，その略中央部に凸部１０ａを設けてある。ＺＣＴ枠３４をケース１ａに設けられたリブに沿って嵌めこむ場合，この凸部１０ａとリブが当接し適切な装着力を発生する。また，リブとの反発力は固定接点板１０をＺＣＴ枠３４に嵌め込む方向に発生するため，前述の抜け止め部の効果とあいまって固定接点板１０の配設位置を適切に固定できる。
【００３２】
ＺＣＴ部分の組み立ては，負荷側端子板２４ａ，２４ｂ，貫通導体３５ａ，３５ｂ，固定接点板１０，可動接点板６，ＺＣＴ３２，ＺＣＴ枠３４を，ＺＣＴに貫通導体を貫通させた状態に予めアセンブリ化しておく。そのためケースへの取り付けは，固定接点板１０をＺＣＴ枠の固定接点板装着保持部に挿入嵌め込みしたうえで，ケースの所定の位置にこれらＺＣＴ枠と，負荷側端子板と，可動接点板を装着した可動接点保持部材を装着するだけでよい。
【００３３】
ケースにＺＣＴ部分を装着する場合には，ケース１ａに設けられたリブ１００１，１００２に沿ってＺＣＴ枠３４を挿入嵌め込みし，負荷側端子板２４ｂをケース１ａの所定の位置に嵌め込む。そして，絶縁壁３を負荷側端子板２４ａと２４ｂの間に配し，ケース１ａのリブに沿って所定の位置に嵌め込む。そして，負荷側端子板２４ａを絶縁壁３の所定の位置に嵌め込むことで装着が完了する。各部品の固定にねじ止めの必要がなく，また，予めアッセンブリ化した部品を嵌め込むだけであるので，組み立て性がよい。しかも，負荷端子板ａ２４ａと固定接点板１０の間の貫通導体３０１ａは，固定接点板１０をＺＣＴ枠３４に装着固定するようにしたのでＺＣＴ枠の貫通穴の両側にたくりなどのための寸法余裕がなくともケースに負荷端子板とＺＣＴと固定接点板類を一体物として装着できるので全体として小型化できる。
【００３４】
また，可動接点板６と７は，可動接点板保持部材５から互い違いに放射状に延出しそれぞれ電源端子側と負荷端子側に固定接点１４と１０を配置するようにしたので，可動接点板と固定接点板を平面状に配置することができ，回路遮断器の巾方向のサイズをほぼ１極分，すなわち１／２幅サイズの漏電遮断器を構成できる。
【００３５】
以上のように請求項１の発明によれば，負荷側の二つの端子から個別に貫通導体が延出して変流器を貫通し，片極の貫通導体は固定接点に接続されて，該固定接点と対となる可動接点を通じて電源側の端子に電気的に接続され，他極の貫通導体は他極側の可動接点に接続され，対となる他極側の固定接点を通じて電源側の端子に電気的に接続されるように変流器を含む回路遮断器を構成したために前述の貫通導体を構成しうる限りの最短化して配することができるとともに各極の可動接点板と固定接点板を平面状に配することができ薄型で小型の変流器を含む回路遮断器を構成できる。
【００３６】
また，請求項２の発明によれば，予め関連部品をアセンブリ化して固定接点が変流器に装着された状態で該変流器をケースによって位置決め固定されるように回路遮断器を構成しているため，組立作業性のよい変流器を含む回路遮断器を提供できる。
【００３７】
また，請求項３の発明によれば，二つの可動接点はを可動接点保持部材に保持されて該可動接点保持部材の回動中心から互い違いに放射状に延出するように配設し，可動接点保持部材の回動により可動接点が固定接点に接離するように回路遮断器を構成し，変流器はケースに位置決め固定されるようにしているために回路遮断器の幅方向の厚みを薄くでき，また変流器部分の組み立てが容易にできる変流器を含む回路遮断器を提供できる。
【００３８】
【発明の効果】
以上のように本発明によれば，１／２幅サイズの薄型化し，しかも組立が容易な変流器を含む回路遮断器を容易に構成できる。
【図面の簡単な説明】
【図１】  ２極漏電遮断器の内部構造図
【図２】  ２極漏電遮断器の内部構造の詳細図
【図３】  零相変流器枠部の組み付け図
【図４】  零相変流器枠部の拡大図
【符号の説明】
１ａ，１ｂ   ケースａ，ケースｂ
２   操作ハンドル
３   絶縁壁
５   可動接点保持部材
６   可動接点板
７   可動接点板
８    開閉機構部
９    固定接点板
１０  固定接点板
１０ａ  凸部
１２  可動接点
１３  可動接点
１４  固定接点
１５  固定接点
２３ａ  過電流引き外し装置
２３ｂ  過電流引き外し装置
２４ａ  負荷側端子板
２４ｂ  負荷側端子板
２５ａ  電源側端子
２５ｂ  電源側端子
２７    過電流引き外し素子
２８    固定電磁片
２９    可動電磁片
３１    引き外しコイル
３２    零相変流器
３３    検知回路
３４    零相変流器枠
３０１ａ，３０２ｂ  貫通導体ａ，ｂ
３００  主回路導電部
３０２ａ，３０２０ａ，３０２０ｂ  導電部材
３４０  固定接点板装着保持部
３５０  略くさび形状の凸部
【図１】
0004163885.tif 000002
【図２】
0004163885.tif 000003
【図３】
0004163885.tif 000004
【図４】
0004163885.tif 000005